(57)【要約】【課題】足場板下部での操作が単純で簡単に固定でき、足場板の下部折り返し部の幅に関係なく一定の固定力を得ることができる仮設足場用幅木を提供する。【解決手段】  幅木本体２の下部に、足場板の外面コーナに重ねるＬ字状のホルダー８を設け、前記幅木本体２に上下動可能となるよう取付けた昇降軸９の下端部に、足場板ａの下面側に臨む屈曲部１８を連成し、この屈曲部１８の先端に、昇降軸９が幅木本体２に対して上昇位置にあるとき、足場板の内側で上部コーナに先端が係合するクランプ爪金具１０を取付け、足場板の内側で上部コーナをホルダー８とクランプ爪金具１０で挟むことにより足場板に幅木本体２を固定する。【選択図】図１
2010255297.tif 000002
【特許請求の範囲】
【請求項１】
幅木本体の下部に、足場板の外面コーナに重ねることによって幅木本体を起立状態の配置にするホルダーを設け、前記幅木本体に上下動可能となるよう取付けた昇降軸の下端部に、足場板の下面側に臨む屈曲部を連成し、この屈曲部の先端に、昇降軸が幅木本体に対して上昇位置にあるとき、足場板の内側で上部コーナに先端が係合するクランプ爪金具を足場板の内外方向に回転可能となるよう取付け、前記幅木本体に、上昇位置と下降位置の何れかに保持するための上下操作機構を設けた架設足場用幅木。
【請求項２】
上記上下操作機構は、昇降軸に沿って起立配置され、幅木本体に設けた支持面に当接する下端を支点に傾動可能となるリンク部材と、前記リンク部材の上端にこのリンク部材の傾動方向に二つ折り可能となるよう枢止連結したレバー部材とからなり、前記レバー部材の上部を昇降軸に枢止結合し、リンク部材とレバー部材の伸直状態で昇降軸を上昇位置に引上げて保持し、リンク部材とレバー部材の屈曲状態で昇降軸を押し下げて下降位置に保持するようになっている請求項１に記載の架設足場用幅木。
【請求項３】
上記レバー部材の上端部と幅木本体の上部との間に、レバー部材の上端部を常時押し下げるばねを縮設した請求項２に記載の架設足場用幅木。
【請求項４】
上記幅木本体は、外側幅木部材とこの外側幅木部材の内側に納まる内側幅木部材で長さ方向に伸縮可能に形成されている請求項１乃至３の何れかに記載の架設足場用幅木。
【発明の詳細な説明】
【技術分野】
【０００１】
この発明は、建築や土木工事の作業足場を構成する足場板の上面に直接取り付けるようにした仮設足場用幅木に関する。
【背景技術】
【０００２】
例えば、建築や土木工事の仮設作業足場には、建枠足場、システム足場、支保工用の足場等があり、何れの場合も、縦柱の間に位置する水平横架材間に足場板を架設して作業床を形成した構造になっているが、足場板上で足を滑らせることによって発生する墜落を防止するため、足場板の上面で周囲の位置に所定高さを有する幅木を起立状に設ける必要性がある。
【０００３】
従来、仮設作業足場における幅木は、その取付け構造が、幅木の両端に専用の取り付け金具を設け、建枠やシステム足場の両側支柱に前記取り付け金具で両端を固定することにより、足場板の上部で周縁の位置に幅木を起立状に配置する支柱取り付けタイプと、建枠やシステム足場の両側水平横架材間に足場板と同様に取り付けて幅木を起立状に配置する横架材取り付けタイプが主流であった。
【０００４】
ところで、前者の支柱取り付けタイプの幅木は、足場板に対する幅木の直接的な固定がないので、足場板と幅木の間に隙間が発生することになり、この隙間に足が落ち込むことがあるので、安全の確保が十分に得られないと共に、専用の取り付け金具による固定は、各種建枠やシステム足場に対して共用することができず、多数種類の幅木を用意しなければならないという問題がある。
【０００５】
また、後者の横架材取り付けタイプの幅木は、足場板に近接して横架材に取り付けることにより、足場板と幅木の間の隙間の発生を、前者の支柱取り付けタイプよりも少なくすることができるが、横架材に対する掴み金具が大きくなり、倒れ止めの機構も必要になるので構造が複雑化し、コスト的に高くつくという問題がある。
【０００６】
そこで、近年、幅木を直接足場板の上面に取付け、足場板と幅木の間に隙間が発生するのを防ぎ、構造の小型を図るようにした足場板取付けタイプの幅木が提案されている。
【０００７】
上記足場板取付けタイプの幅木は、足場板の上面に起立状態で載置する幅木本体の下部複数箇所に、足場板に対して側面から外嵌するコ字状のフック部材を上下動可能に設け、幅木本体の外面側に、この幅木本体の上面から回動操作することができるねじ軸を取付け、前記ねじ軸をフック部材の上部に形成したねじ孔に螺合し、ねじ軸を回動させてフック部材を引上げることで、フック部材の下部を足場板の下面に係合させ、これによって、幅木本体を押し下げることで足場板に固定するようになっている（例えば、特許文献１参照）。
【０００８】
また、別の足場板取付けタイプの幅木は、幅木本体の複数箇所に固定金具を設け、この固定金具が、幅木本体の下部に、足場板の上面から側面に外接させるホルダーと、幅木本体に垂直の軸心を中心に回転可能に取り付けた回転軸と、側面に傾斜面を備え、幅木本体の下面から突出する前記回転軸の下端水平部に回転と軸方向への移動が可能となるよう取り付けられ、足場板の下面側に位置させた直立状態で上端部を足場板の下面に当接させることができる係合金具と、上記係合金具に対してその側面の傾斜面が足場板の下部折り返し部の内側コーナに圧接する方向の移動弾性を付勢する弾性部材とで形成された構造になっている。
【０００９】
上記幅木本体を足場板上に起立させた状態で、回転軸の下端水平部を足場板の下部に向け、係合金具を上向きに回動させることにより、この係合金具の傾斜面を足場板の下部内側コーナ縁に圧接させると共に、上面を足場板の下面に当接させることにより、回転軸と係合金具で足場板の下部折り返し部を弾力的に挟み、これによって、幅木本体を足場板に固定するようになっている（例えば、特許文献２参照）。
【先行技術文献】
【特許文献】
【００１０】
【特許文献１】特開２００７−１２００６５号公報
【特許文献２】特開２００５−１３９６６３号公報
【発明の概要】
【発明が解決しようとする課題】
【００１１】
ところで、上記のような足場板取付けタイプの幅木は、前者の場合、幅木本体の内外厚み寸法の全てを足場板上に載置して起立させるため、足場板表面の有効面積が幅木本体の厚み寸法分だけ狭くなるというだけでなく、幅木の取付け及び取り外しにねじ軸を回動させなければならず、このため、幅木の取付け及び取り外しに手間がかかり、しかも、ねじ軸を採用した場合、足場板の振動が伝わることでねじ軸が緩み、幅木本体の固定力が低下するという問題ある。
【００１２】
また、後者の足場板取付けタイプの幅木においては、外接させるホルダーによって、足場板の外側縁に幅木本体の内面を一致させた起立配置ができるので、足場板表面の有効面積を損なわないという利点はあるが、足場板の下部で回転軸の回動操作と、係合金具の上下の回動操作をしなければならないため、足場板下部での複数の操作が必要になり、作業性が悪いと共に、係合金具の傾斜面を足場板の下部内側コーナ縁に弾性部材で圧接させる構造であるため、足場板の下部折り返し部の幅が異なれば弾性部材による係合金具の圧接力が変化し、足場板の下部折り返し部の幅によって幅木本体の固定強度にバラツキが生じるという点で改良の余地がある。
【００１３】
そこで、この発明の課題は、上記のような足場板取付けタイプの幅木にあった問題点を解決するため、振動による幅木本体の固定力低下がなく、しかも、足場板下部での操作が単純で簡単に固定でき、足場板の下部折り返し部の幅に関係なく一定の固定力を得ることができる仮設足場用幅木を提供することにある。
【課題を解決するための手段】
【００１４】
上記のような課題を解決するため、この発明は、幅木本体の下部に、足場板の外面コーナに重ねることによってこの幅木本体を起立状態の配置にするホルダーを設け、前記幅木本体に上下動可能となるよう取付けた昇降軸の下端部に、足場板の下面側に臨む屈曲部を連成し、この屈曲部の先端に、昇降軸が幅木本体に対して上昇位置にあるとき、足場板の内側で上部コーナに先端が係合するクランプ爪金具を足場板の内外方向に回転可能となるよう取付け、前記幅木本体の外面側に、昇降軸を上昇位置と下降位置の何れかに保持するための上下操作機構を設けたものである。
【００１５】
上記上下操作機構は、昇降軸に沿って起立配置され、幅木本体に設けた支持面に当接する下端を支点に傾動可能となるリンク部材と、前記リンク部材の上端にこのリンク部材の傾動方向に二つ折り可能となるよう枢止連結したレバー部材とからなり、前記レバー部材の上部を昇降軸に枢止結合し、リンク部材とレバー部材の伸直状態で昇降軸を上昇位置に引上げて保持し、リンク部材とレバー部材の屈曲状態で昇降軸を押し下げて下降位置に保持するような構造とすることができる。
【００１６】
また、上記レバー部材の上端部と幅木本体の上部との間に、レバー部材の上端部を常時押し下げるばねを縮設したり、上記幅木本体は、外側幅木部材とこの外側幅木部材の内側に納まる内側幅木部材で長さ方向に伸縮可能に形成されている構造としてもよい。
【００１７】
ここで、上記幅木本体は、アルミや鋼板等を用い、垂直面板が所定の高さを有する横長で、上下端部に外面側への折り返し壁を設けた強度のある断面構造になっており、仮設足場の支柱のスパンに見合う長さを有する基本タイプと、長さの調整が可能な伸縮タイプが用意されている。
【００１８】
上記ホルダーは、垂直片と水平片を有し、足場板の外面で上面と側面のコーナに重ねるＬ字形金具と、前記垂直片の外面に設けたボックス部からなり、Ｌ字形金具が幅木本体の内面側から突出するよう、前記ボックス部の上端を幅木本体の下面に固定し、Ｌ字形金具を足場板の外面で上面と側面に重ねることで、足場板の上面外側部に幅木本体を起立配置することができる構造になっている。
【００１９】
上記昇降軸は、円形軸を用い、上記ボックス部を上下に貫通し、幅木本体に設けたブラケットで上下動が可能となるよう支持され、その下端部をＬ形に折り曲げることで屈曲部となり、この屈曲部の上向きに折り曲げた先端にクランプ爪金具がピン結合されている。
【００２０】
上記リンク部材は、下部が昇降軸の途中に余裕をもって外嵌する角形筒部の上部両側に一対のリンク片を突設して形成され、幅木本体に固定した上記ブラケットの上面で形成された支持面に下端を当接することにより、この下端を支点に幅木本体の内外方向に傾動可能となり、また、レバー部材は、レバー板の両側に一対のリンク片を設けて形成され、リンク部材のリンク片とレバー部材のリンク片をピンで結合し、レバー部材のリンク片を昇降軸とピンで結合している。
【００２１】
従って、上記レバー部材のレバー板を外側上方に引き上げるようにすると、レバー部材とリンク部材は二つ折り状に屈曲し、昇降軸はレバー部材で引き下げられて下降位置となり、また、レバー部材のレバー板を押し下げて昇降軸に重なる垂直姿勢にすると、レバー部材とリンク部材は伸直状態となり、レバー部材は昇降軸を上昇位置に引上げることになる。
【００２２】
上記昇降軸の引上げに際して、昇降軸の下端屈曲部に取付けたクランプ爪金具を、その先端が足場板の下面で上部コーナに向くような姿勢にしておくと、昇降軸と共に上昇するクランプ爪金具は、自動的に先端が足場板の下面で上部コーナに係合して突っ張り状態となり、足場板の外面に重ねたホルダーのコーナとで足場板の上部コーナを挟むことにより、足場板に対して固定となる昇降軸を介して幅木本体を足場板に固定化することになる。
【発明の効果】
【００２３】
この発明によると、ホルダーで足場板の上面外側部に起立配置する幅木本体に、レバー部材とリンク部材の折り曲げと伸直によって上下動する昇降軸を取付け、この昇降軸の下端に、昇降軸の上昇により、足場板の下面で上部コーナに係合するクランプ爪金具を取付けたので、昇降軸を上昇位置にすることにより、足場板の外面に重ねたホルダーのコーナとクランプ爪金具で足場板の上部コーナを挟み、足場板に対して幅木本体を固定化することができ、しかも、昇降軸の上昇位置は、レバー部材とリンク部材の伸直状態で保持するので、足場板に対して幅木本体を強固に固定することができる。
【００２４】
また、レバー部材とリンク部材の伸直状態は、振動による折れ曲がりの発生がないので、振動による幅木本体の固定力の低下がなく、安全性の向上が図れると共に、レバー部材を起伏させるだけでよいので、幅木本体の固定と取外しの操作が簡単である。
【００２５】
更に、足場板の外面に重ねたホルダーのコーナとクランプ爪金具で足場板の上部コーナを挟むことにより、足場板に対して幅木本体を固定化するので、足場板の下部折り返し部の幅に関係なく所定の固定力を得ることができる。
【図面の簡単な説明】
【００２６】
【図１】基本タイプの足場用幅木とこれに取付ける固定金具の分解斜視図
【図２】（ａ）は基本タイプの足場用幅木を足場板に対して固定した状態の拡大した縦断側面図、（ｂ）は同じく正面図
【図３】（ａ）は基本タイプの足場用幅木を足場板に対して固定した状態の平面図、（ｂ）は同正面図
【図４】（ａ）は基本タイプの足場用幅木の端部と、足場板の端部で対向する足場用幅木間に配置した調整幅木のコーナ部分の収まり状態を示す拡大した部分平面図、（ｂ）は同縦断正面図
【図５】（ａ）は水平横架材に対して足場板を直列に架設した部分において、両足場板に固定した基本タイプの足場用幅木の端部の収まり状態を示す拡大した平面図、（ｂ）は同縦断正面図
【図６】（ａ）乃至（ｄ）は、基本タイプの足場用幅木を足場板に固定するための固定金具の作動を順番に示す説明図
【図７】足場用幅木を足場板に固定する固定金具にスプリングを組み込んだ例を示す、足場用幅木を足場板に対して固定した状態の拡大した縦断側面図
【図８】伸縮タイプの足場用幅木を示す第１の例の分解斜視図
【図９】（ａ）は伸縮タイプの足場用幅木を足場板の端部に固定した状態の平面図、（ｂ）は同正面図
【図１０】伸縮タイプの足場用幅木を足場板の端部に固定する直前の状態を示す拡大した縦断面図
【図１１】伸縮タイプの足場用幅木を足場板の端部に固定するため、ホルダーを足場板の上に載置した状態を示す拡大した縦断面図
【図１２】伸縮タイプの足場用幅木を足場板の端部に固定した状態を示す拡大した縦断面図
【図１３】伸縮タイプの足場用幅木を足場板の端部に固定した状態を示す拡大した正面図
【図１４】伸縮タイプの足場用幅木を示す第２の例の正面図
【図１５】（ａ）は調整幅木の収縮状態を示す平面図、（ｂ）は同正面図
【図１６】（ａ）は調整幅木におけるスライドクランプの構造を示す拡大した正面図、（ｂ）は同側面図
【図１７】調整幅木とスライドクランプの分解斜視図
【図１８】縦柱間に設けた水平横架材の間に足場板を架設して構築した作業床の第１の例のパターンを示す平面図
【図１９】縦柱間に設けた水平横架材の間に足場板を架設して構築した作業床の第２の例のパターンを示す平面図
【図２０】縦柱間に設けた水平横架材の間に足場板を架設して構築した作業床の第３の例のパターンを示す平面図
【発明を実施するための形態】
【００２７】
以下、この発明の実施の形態を添付図面に基づいて説明する。
【００２８】
図１乃至図６は、足場板ａの長さに見合う長さを有する基本タイプの足場用幅木１を示し、足場板ａの上面で幅方向の一方側縁の位置に配置する幅木本体２と、この幅木本体２の両端部寄りの位置に、この幅木本体２を足場板ａに対して起立状態で固定する固定金具３を設けた構造になっている。
【００２９】
ここで、仮設作業足場は、図３の場合、所定の間隔で四方に起立配置した縦柱ｂを、足場板の長さに見合う梁材ｃと、足場板ａの幅又はその倍数に見合う長さの水平横架材ｄで結合し、平行する水平横架材ｄ間に足場板ａを架設し、その上面で作業床を形成したものを例示し、同図は縦柱ｂの１スパン分だけの構造を示しているが、実際には、縦柱ｂの１スパン分が複数連続した配置となる場合がある。
【００３０】
また、足場板ａは、図２（ａ）のように、幅方向の両側に、天板から下向きに屈曲して略Ｌ字形となる側部折り返し壁ａ１が形成され、長さ方向の両端には、図３と図５のように、幅方向の略全長に外嵌する断面コ字状の端部金具ａ２とその両端位置にフックａ３が設けられ、図示の場合、端部金具ａ２の外端面に、端部金具ａ２と水平横架材ｄの隙間を覆う覆い板ａ４が固定してある。
【００３１】
上記幅木本体２は、アルミや鋼板等を用い、所定の高さと取り付け使用する足場板ａの長さと略同程度に形成され、例えば、１５０ｍｍ程度の高さ寸法を有する垂直面板４の上下端部に、外面側へＬ形に屈曲する折り返し壁５と６を設けた強度のある断面構造になっており、図３乃至図５のように、垂直面板４の両端部には、水平横架材ｄに架設した隣接足場板の幅木本体２との端部間に生じる隙間をなくすための閉塞板７が長さ方向に沿って延長状に固定されている。
【００３２】
上記固定金具３は、幅木本体２の下部折り返し壁５の下面に固定され、足場板ａの上面と側面のコーナに重ねることによって幅木本体２を起立状態の配置にするホルダー８と、前記幅木本体２とホルダー８に対して上下動と回転が可能となるよう取付けた昇降軸９と、この昇降軸９の下端部先端に取付けたクランプ爪金具１０と、前記昇降軸９を上昇位置と下降位置の何れかに保持するための上下操作機構１１とで形成されている。
【００３３】
上記ホルダー８は、図１と図２のように、足場板ａの外面で上面と側面のコーナにわたって重ねる水平片１２ａと垂直片１２ｂからなるＬ字形金具１２と、前記垂直片１２ｂの外面に設けた上向きコ字形のボックス部１３とで形成され、前記Ｌ字形金具１２が幅木本体２における垂直面板４の内面から足場板ａ側に向けて突出するよう、前記ボックス部１３の上端を幅木本体２の下部折り返し壁５の下面に溶接して固定し、Ｌ字形金具１２を足場板ａの上面と側面に重ねることにより、図２（ａ）のように、足場板ａの側面と垂直面板４の内面が上下同一面の配置となるように、足場板ａの上面外側部に幅木本体２を起立配置することができるようになっている。
【００３４】
上記昇降軸９は、円形軸を用いて形成され、幅木本体２の高さと足場板ａの上下厚みを足した程度の上下長さを有する垂直部９ａが、上記ホルダー８におけるボックス部１３の下板と、幅木本体２の下部折り返し壁５に設けた貫通孔１４と１５を上下に貫通し、幅木本体２の外面で上下の位置に固定したブラケット１６と１７の孔１６ａ、１７ａで上下動が可能となるよう支持され、前記垂直部９ａの下端部は、その延長を足場板ａの下面側に向けてＬ形に折り曲げることで水平の屈曲部１８となり、この屈曲部１８の上向きに折り曲げた先端部１８ａにクランプ爪金具１０がピン１９で結合されている。
【００３５】
上記昇降軸９は、屈曲部１８がボックス部１３よりも常時下方に位置するよう幅木本体２に取付けられ、この屈曲部１８は、図２(a)のように、足場板ａに幅木本体２を取付けた時、足場板ａの側部折り返し壁ａ１よりも先端部が足場板ａの内側に位置するような長さを有している。
【００３６】
この昇降軸９の屈曲部１８に取付けたクランプ爪金具１０は、長方形となる爪板１０ａの両側に屈曲部１８へ外嵌する間隔で対向壁１０ｂを設けて形成され、この対向壁１０ｂの後端部を屈曲部１８の上向き先端部１８ａにピン１９で結合され、このピン１９を支点に足場板ａの幅方向に沿うように起伏回動可能になり、図２（ａ）のように、幅木本体２に対して昇降軸９が上昇位置にあるとき、爪板１０ａの先端が足場板ａの天板と側部折り返し壁ａ１で形成された内側上部コーナａ５に係合するようになっている。
【００３７】
上下操作機構１１は、上記昇降軸９の垂直部９ａに外嵌するリンク部材２０と、一端を前記リンク部材２０の上端に枢止結合し、他端を昇降軸９と枢止結合したレバー部材２１とで形成され、前記リンク部材２０は、幅木本体２の下部折り返し壁５の上に固定した下部ブラケット１６の上面で形成された支持面に当接する下端を支点に傾動可能となり、このリンク部材２０とレバー部材２１は二つ折り可能となり、リンク部材２０とレバー部材２１は伸直状態で昇降軸９に沿って幅木本体２の外面側に起立状の配置となる。
【００３８】
上記リンク部材２０は、下部が昇降軸９の途中に余裕をもって外嵌する短い角形筒部２０ａの上部両側に、昇降軸９の直径よりも広い間隔で一対のリンク片２０ｂを対向状に突設して形成され、上記ブラケット１６の上面である支持面に角形筒部２０ａの下端を当接することにより、この下端を支点に幅木本体２の内外方向に傾動可能となる。
【００３９】
また、レバー部材２１は、帯板状となるレバー板２１ａの先端寄り両側に、昇降軸９の直径よりも広い間隔で一対のリンク片２１ｂを設けて形成され、このリンク片２１ｂの一端側を上記したリンク部材２０のリンク片２０ｂとピン２２で枢止結合し、前記リンク片２１ｂの他端側を昇降軸９の途中にピン２３で枢止結合している。
【００４０】
上記のようなリンク部材２０とレバー部材２１及び昇降軸９の結合構造によって、前記レバー部材２１のレバー板２１ａを外側上方に引き上げて略水平状態にすると、図６（ａ）のように、レバー部材２１とリンク部材２０は昇降軸９に対して外方へ二つ折り状に屈曲し、昇降軸９はレバー部材２１で引き下げられて下降位置となり、昇降軸９の下端に設けた屈曲部１８と、この屈曲部１８に取付けたクランプ爪金具１０は、幅木本体２を足場板ａの上に配置したとき、足場板ａの下面から離れた下方位置になる。
【００４１】
また、図２のように、レバー部材２１のレバー板２１ａを押し下げて昇降軸９に重なるように垂直姿勢にすると、レバー部材２１とリンク部材２０は伸直状態となり、レバー部材２１が昇降軸９を上昇位置に引上げることになり、リンク部材２０とレバー部材２１のピン２２による結合点と、レバー部材２１と昇降軸９のピン２３による結合点が上下同一垂直線上に位置することで、レバー部材２１とリンク部材２０の伸直状態が保持されることになる。
【００４２】
上記レバー部材とリンク部材の伸直状態の保持は、図１と図２のように、レバー部材２１とリンク部材２０が上下垂直の起立姿勢にある状態において、レバー部材２１におけるリンク片２１ｂの下端に、ピン２２の軸心直下から幅木本体２の外側に向かう水平縁２１ｃを形成し、また、リンク部材２０の両リンク片２０ｂにおける内面の中間高さ位置で、ピン２２の軸心直下から幅木本体２の外側に寄った位置に、上端が水平の平坦面となる突起片２０ｃを設け、レバー部材２１とリンク部材２０を伸直状態にしたとき、図２（ａ）のように、前記水平縁２１ｃと突起片２０ｃの上端が互いに当接し、このような水平の当接部分が、伸直状態にあるレバー部材２１とリンク部材２０が外側へ二つ折りになるのを防ぎ、レバー部材２１とリンク部材２０の伸直状態を安定的に保持するようになっている。
【００４３】
図７に示す例の足場用幅木１は、固定金具３において、上記した幅木本体２の上部ブラケットと上下操作機構１１におけるレバー部材２１の上端部の間に、昇降軸９に外嵌する状態でスプリング２４を縮設し、上下操作機構１１に常時押し下げ弾性を付勢したものである。
【００４４】
このように、上下操作機構１１に押し下げ弾性を付勢すると、固定金具３は、リンク部材２０とレバー部材２１の直伸状態の姿勢が弾力的に保持され、レバー部材２１を強制的に引き起こさない限り、足場板ａに対して幅木本体２の固定化状態が保たれることになり、足場板ａからの振動が伝わっても、リンク部材２０とレバー部材２１が不用意に折れ曲がることがないので、幅木本体２が足場板ａから脱落することのないようにして、安全性の向上が図れることになる。
【００４５】
次に、図８乃至図１４は、長さの調整が可能な伸縮タイプの第１及び第２の例の足場用幅木１を示している。このような伸縮タイプの足場用幅木１は、足場板ａに対して、この足場板ａの端部に設けた断面コ字状の端部金具ａ２を用い、足場板ａが幅方向に並ぶ位置のような、縦柱ｂのスパンが足場板ａの長さに対応するスパンと比べて変動がある部分に使用される。なお、上記した基本タイプの足場用幅木１と同一部分については、同一符号を付すことによって説明に代える。
【００４６】
第１の例の伸縮タイプの足場用幅木１は、８乃至図１３のように、幅木本体２が外側幅木部材２ａとこの外側幅木部材２ａの内側に納まる内側幅木部材２ｂとの組み合わせからなり、長さ方向にスライドさせることで伸縮可能になっている。
【００４７】
上記外側幅木部材２ａは、横長帯板状となる垂直面板２５の上端部に下向きＬ字状となって外面側へ屈曲する折り返し壁２６と、下端部に上向きＬ字状となって外面側へ屈曲する細い折り返し壁２７を設けた断面形状となり、内側幅木部材２ｂは、前記垂直面板２５の外面に重なる垂直面板２８の上端部に、前記折り返し壁２６内に納まる、外面側への折り返し壁２９が設けられている。
【００４８】
上記内側幅木部材２ｂの外面で垂直面板２８の両端部寄りの位置に固定金具３を固定し、足場板ａに固定した内側幅木部材２ｂに対して外側幅木部材２ａをスライドさせて長さの調整を行うことになり、内側幅木部材２ｂの上部折り返し壁２９の上面で両端部の位置に弾性突起３０を設け、外側幅木部材２ａの上部折り返し壁２６の上面で長さ方向に沿う複数箇所の位置に、前記弾性突起３０が係脱する係合孔３１を設け、外側幅木部材２ａと内側幅木部材２ｂの長さ調節状態や収縮状態を有段的に固定化することができるようにしている。
【００４９】
また、図１４に示す第２の例の伸縮タイプの足場用幅木１は、固定金具３を、外側幅木部材２ａの垂直面板２５における一方端部の外面と、内側幅木部材２ｂの垂直面板２８における他方端部の外面に固定し、外側幅木部材２ａと内側幅木部材２ｂをそれぞれ足場板ａに固定するようになっていると共に、外側幅木部材２ａと内側幅木部材２ｂは、端部に設けた一対のストッパー３２によって、最大に引き伸ばした状態で抜け止めが得られるようにしている。
【００５０】
図１５乃至図１７は、この発明の足場用幅木１と組み合わせ使用する伸縮可能な調整幅木４１を示し、幅木本体４２が、両側の外側幅木部材４２ａとこの外側幅木部材４２ａの内側に納まる両側の内側幅木部材４２ｂとの組み合わせからなり、内側幅木部材４２ｂの端部から両側の外側幅木部材４２ａを出し入れできるようにすることで、長さ方向の伸縮調整幅を大きくしていると共に、外側幅木部材４２ａの相反する端部に、長さ方向に対して位置調整自在となる一対のスライドクランプ４３が両端対称の配置で取付けられている。
【００５１】
上記外側幅木部材４２ａは、垂直面板４４の上端部に外面側への折り返し壁４５と、下端部に内側へ向けて下向きＬ形となる折り曲げ壁４６を設けた断面形状となり、内側幅木部材４２ｂは、前記垂直面板４４の外面に重なる垂直面板４７の上下端部に外面側へＬ字状に屈曲する折り返し壁４８と４９が設けられている。
【００５２】
上記スライドクランプ４３は、外側幅木部材４２ａにおける垂直面板４４の足場板ａ側に向く内面から上下の折り返し壁４５と４６に外接し、外側幅木部材４２ａの長さ方向に対して移動可能となるよう金属板を折り曲げたスライド部材５０で形成され、上面に取付けたボルト５１のねじこみで外側幅木部材４２ａに対して所定の位置で固定することができると共に、このスライド部材５０に、金属線材を用いて折り曲げ形成され、スライド部材５０の上部端から外方へ水平に突出して先端が下向きに屈曲する形状のフック部材５２を固定した構造になっている。
【００５３】
この発明の足場用幅木は、上記のような構成であり、図１８乃至図２０は、縦柱ｂ間に設けた水平横架材ｄの間に足場板ａを架設して構築した作業床の異なった平面パターンと、この作業床に対する足場用幅木１や調整幅木４１の使用例を示している。
【００５４】
図１８に示す第１の例の作業床は、中間に直角の屈曲部を形成した平面パターンを示し、縦柱ｂと水平横架材ｄで骨組みを組立て、中間の屈曲部は、幅の異なる二枚の足場板ａと、両足場板ａ間に幅の狭い隙間補助足場板ｅを並べ、この中間の屈曲部の両端に相反する方向へ延びるよう連なる直線部は、一枚の足場板ａを敷設することにより形成したものであり、各足場板ａが平面的に並ぶ前記作業床において、各足場板ａの上面で外周縁において、足場板ａの長さ方向の全長に見合うスパンの部分には、基本タイプの足場用幅木１を用い、上記スパンよりも短い部分には、伸縮タイプの足場用幅木１を使用してそれぞれ固定する。
【００５５】
図１９に示す第２の例の作業床は、平面角形の平面パターンを示し、縦柱ｂを水平横架材ｄの結合で一定のスパンに組立てた骨組に対して、両端に二枚の足場板ａをそれぞれ並べ、中間に幅の狭い三枚の隙間補助足場板ｅと足場板ａ及び幅の狭い足場板ａを並べることにより形成したものであり、各足場板ａやｅが平面的に並ぶ作業床の上面で外側縁において、足場板ａの長さ方向の全長に見合うスパンの部分には、基本タイプの足場用幅木１を用い、上記スパンよりも短い部分には、伸縮タイプの足場用幅木１を使用してそれぞれ足場板ａに固定する。
【００５６】
図２０（ａ）と（ｂ）に示す第３の例の作業床は、平面角形の平面パターンであるが、縦柱ｂの配置が幅方向に足場板ａの長さに見合う一定のスパンであるのに対して奥行きの幅が異なる例を示し、同図から明らかなように、足場板ａと幅の狭い隙間補助足場板ｅ及び幅の狭い足場板ａの組み合わせを選択することにより、面積の異なる作業床を形成したものであり、各足場板ａ、ｅが平面的に並ぶことで形成された作業床の上面で外側縁において、足場板の長さ方向の全長に見合うスパンの部分には、基本タイプの足場用幅木１を用い、上記スパンよりも短い部分には、伸縮タイプの足場用幅木１を使用し、それぞれを足場板ａに固定する。
【００５７】
図６は、基本タイプの足場用幅木１を足場板ａの上面に固定する固定金具３の工程を順番に示し、また、図１０乃至図１３は、伸縮タイプの足場用幅木１を足場板ａの上面に固定する工程を順番に示している。なお、固定金具３の操作は、足場用幅木が何れの場合でも同じであるので、図６を主体に用い、図１０乃至図１３は補助的に用いて説明する。
【００５８】
図６（ａ）と図１１のように、固定金具３のレバー部材２１を外方へ略水平になるよう起こし、レバー部材２１とリンク部材２０を二つ折りにすることで昇降軸９を押し下げ、この昇降軸９を下降位置にした状態で、足場用幅木１を足場板ａの上面外側縁に臨ませ、ホルダー８を足場板ａの外面コーナに重ねることによって幅木本体２を起立状態に配置する。
【００５９】
このとき、昇降軸９の下端に取付けたクランプ爪金具１０は、足場板ａの下面に平行するよう先端側に倒しておき、昇降軸９は下降位置にあるので、下端の屈曲部１８は足場板ａの側部折り返し壁ａ１の下面との間に十分な間隔を確保し、屈曲部１８とその先端に取付けたクランプ爪金具１０を足場板ａの下部に位置させることができる。
【００６０】
図６（ｂ）のように、屈曲部１８の先端に取付けたクランプ爪金具１０を作業員が手で引き起こし、足場板ａの側部折り返し壁ａ１の内側上縁に当接させた状態で、図６（ｃ）のように、レバー部材２１のレバー板２１ａを押し下げて伏倒させると、レバー部材２１とリンク部材２０が伸直することで昇降軸９が引上げられ、下端の屈曲部１８に取付けたクランプ爪金具１０は、足場板ａの側部折り返し壁ａ１の内側上縁に自重で当接しているので、ピン１９による枢止点が上昇すればその先端が足場板ａの側部折り返し壁ａ１の上部コーナａ５に向けて接近することになる。
【００６１】
また、伸縮タイプの足場用幅木１の場合は、クランプ爪金具１０が端部金具ａ２の下縁で支持され、昇降軸９が引上げられることで、クランプ爪金具１０は、上昇に伴って角度が水平方向に倒れながら、自動的に爪板１０ａの先端が上部コーナａ５に向けて接近することになる。
【００６２】
図６（ｄ）と図１２のように、レバー部材２１を昇降軸９に重なるように垂直の姿勢に伏倒させると、レバー部材２１とリンク部材２０が伸直状態となって昇降軸９は上昇位置に引上げられて保持され、同時に、クランプ爪金具１０の先端が足場板ａの側部折り返し壁ａ１の上部コーナａ５又は端部金具ａ２の内部で上部コーナａ５に当接し、足場板ａの外面に重ねたホルダー８のコーナとクランプ爪金具１０の爪先で足場板ａの上部コーナａ５を内外から挟み、これによって昇降軸９が足場板ａに固定化され、ホルダー８と幅木本体２に押し下げ力が作用することで、足場板ａに対して幅木本体２を起立状の配置で固定化することができる。
【００６３】
なお、足場用幅木１を足場板ａから取外す場合は、レバー部材２１を引き起こせばよく、固定金具３は、上記固定時と逆に、図６（ｄ）〜（ａ）へと順に移行し、レバー部材２１とリンク部材２０が二つ折りになって昇降軸９が下降位置に移動し、クランプ爪金具１０を足場板ａの側部折り返し壁ａ１又は端部金具ａ２の上部コーナａ５から離反させるようにすればよく、このとき、昇降軸９を回転させ、屈曲部１８とクランプ爪金具１０を足場板ａの下部から外方へ逃がすようにすれば、足場板ａに対する足場用幅木１の取り外し作業が容易となる。
【００６４】
ここで、図４は、基本タイプの足場用幅木１を足場板ａに固定した状態において、この足場用幅木１の端部と、足場板ａの端部で対向する足場用幅木１間に配置した調整幅木４１のコーナ部分の収まり状態を示し、足場用幅木１の閉塞板７が水平横架材ｄの上部で起立し、調整幅木４１の端部に位置させたスライドクランプ４３のフック部材５２を足場用幅木１の端部に上から係合させることにより、作業床のコーナ部分において、直角の関係になる足場用幅木１と調整幅木４１間に隙間が生じないようになっている。
【００６５】
図５は、水平横架材ｄに対して足場板ａを直列に架設した部分において、両足場板ａに固定した基本タイプの足場用幅木１の端部の収まり状態を示し、足場用幅木１の端部に設けた閉塞板７が内外に重なり、直列に並ぶ足場用幅木１の端部間に隙間の発生がないようになっている。
【符号の説明】
【００６６】
１          架設足場用幅木
２          幅木本体
３          固定金具
４          垂直面板
５、６      折り返し壁
７          閉塞板
８          ホルダー
９          昇降軸
１０        クランプ爪金具
１１        上下操作機構
１２        Ｌ字形金具
１３        ボックス部
１４、１５  貫通孔
１６、１７  ブラケット
１８        屈曲部
１９        ピン
２０        リンク部材
２１        レバー部材
２２、２３  ピン
２４        スプリング
２５        垂直面板
２６、２７  折り返し壁
２８        垂直面板
２９        折り返し壁
３０        突起
３１        係合孔
３２        ストッパー
４１        調整幅木
４２        幅木本体
４３        スライドクランプ
４４        垂直面板
４５、４６  折り返し壁
４７        垂直面板
４８、４９  折り返し壁
５０        スライド部材
５１        ボルト
５２        フック部材
【図１】
2010255297.tif 000003
【図２】
2010255297.tif 000004
【図３】
2010255297.tif 000005
【図４】
2010255297.tif 000006
【図５】
2010255297.tif 000007
【図６】
2010255297.tif 000008
【図７】
2010255297.tif 000009
【図８】
2010255297.tif 000010
【図９】
2010255297.tif 000011
【図１０】
2010255297.tif 000012
【図１１】
2010255297.tif 000013
【図１２】
2010255297.tif 000014
【図１３】
2010255297.tif 000015
【図１４】
2010255297.tif 000016
【図１５】
2010255297.tif 000017
【図１６】
2010255297.tif 000018
【図１７】
2010255297.tif 000019
【図１８】
2010255297.tif 000020
【図１９】
2010255297.tif 000021
【図２０】
2010255297.tif 000022